(57)【特許請求の範囲】
【請求項１】
長方形のシートを搬送路に沿った第１向きへ搬送する搬送部と、
シートが短辺を上記第１向きの下流端及び上流端として搬送可能に保持される第１トレイと、
上記第１トレイに保持されているシートと同サイズのシートが長辺を上記第１向きの下流端及び上流端として搬送可能に保持される第２トレイと、
上記第１トレイに保持されたシートを上記搬送路へ給送する第１給送部と、
上記第２トレイに保持されたシートを上記搬送路へ給送する第２給送部と、
上記搬送路の上側に設けられており、上記第１向きと直交し且つシートの画像記録面に沿った第２方向へ移動可能なキャリッジと、
上記キャリッジに搭載されており、上記搬送路へ向けて液滴を吐出することによって上記搬送路を搬送されるシートに画像を記録する記録ヘッドと、
上記第１向きに沿った順序でシートに画像を記録するための第１印刷データと、上記第２方向に沿った順序でシートに画像を記録するための第２印刷データと、を作成する作成手段と、
上記搬送部にシートの搬送及び停止を交互に繰り返させる間欠搬送処理、及び上記間欠搬送処理においてシートが停止されている間に、上記キャリッジを往復移動させながら、上記第１印刷データまたは上記第２印刷データに基づいて、上記記録ヘッドに液滴を吐出させる記録処理を実行する制御手段と、
上記第１トレイに保持されているシートに上記第１印刷データを記録するときに上記キャリッジの移動が繰り返される第１回数、及び上記第２トレイに保持されているシートに上記第２印刷データを記録するときに上記キャリッジの移動が繰り返される第２回数を算出する回数算出手段と、
上記第１トレイに保持されているシートに上記第１印刷データを記録するときの上記キャリッジの合計移動距離である第１移動距離、及び上記第２トレイに保持されているシートに上記第２印刷データを記録するときの上記キャリッジの合計移動距離である第２移動距離を算出する移動距離算出手段と、
上記第１回数及び上記第２回数が同一である場合に、上記第１移動距離が上記第２移動距離よりも短いことを条件として、上記第１給送部に上記第１トレイからシートを給送させ、上記第２移動距離が上記第１移動距離よりも短いことを条件として、上記第２給送部に上記第２トレイからシートを給送させるトレイ選択手段と、を備えているインクジェット記録装置。
【請求項２】
上記第１トレイに保持されているシートが画像記録完了までに搬送される距離、及び当該シートの搬送速度に基づいて第１時間を算出し、上記第２トレイに保持されているシートが画像記録完了までに搬送される距離、及び当該シートの搬送速度に基づいて第２時間を算出する時間算出手段を備え、
上記トレイ選択手段は、上記第１回数及び上記第２回数が同一且つ上記第１移動距離及び上記第２移動距離が同一である場合に、上記第１時間が上記第２時間よりも短いことを条件として、上記第１給送部に上記第１トレイからシートを給送させ、上記第２時間が上記第１時間よりも短いことを条件として、上記第２給送部に上記第２トレイからシートを給送させる請求項１に記載のインクジェット記録装置。
【請求項３】
長方形のシートを搬送路に沿った第１向きへ搬送する搬送部と、
シートが短辺を上記第１向きの下流端及び上流端として搬送可能に保持される第１トレイと、
上記第１トレイに保持されているシートと同サイズのシートが長辺を上記第１向きの下流端及び上流端として搬送可能に保持される第２トレイと、
上記第１トレイに保持されたシートを上記搬送路へ給送する第１給送部と、
上記第２トレイに保持されたシートを上記搬送路へ給送する第２給送部と、
上記搬送路の上方に設けられており、上記第１向きと直交し且つシートの画像記録面に沿った第２方向へ移動可能なキャリッジと、
上記キャリッジに搭載されており、上記搬送路へ向けて液滴を吐出することによって上記搬送路を搬送されるシートに画像を記録する記録ヘッドと、
上記第１向きに沿った順序でシートに画像を記録するための第１印刷データと、上記第２方向に沿った順序でシートに画像を記録するための第２印刷データと、を作成する作成手段と、
上記搬送部にシートの搬送及び停止を交互に繰り返させる間欠搬送処理、及び上記間欠搬送処理においてシートが停止されている間に、上記キャリッジを往復移動させながら、上記第１印刷データまたは上記第２印刷データに基づいて、上記記録ヘッドに液滴を吐出させる記録処理を実行する制御手段と、
上記第１トレイに保持されているシートに上記第１印刷データを記録するときの上記キャリッジの合計移動距離である第１移動距離、及び上記第２トレイに保持されているシートに上記第２印刷データを記録するときの上記キャリッジの合計移動距離である第２移動距離を算出する移動距離算出手段と、
上記第１移動距離が上記第２移動距離よりも短いことを条件として、上記第１給送部に上記第１トレイからシートを給送させ、上記第２移動距離が上記第１移動距離よりも短いことを条件として、上記第２給送部に上記第２トレイからシートを給送させるトレイ選択手段と、を備えているインクジェット記録装置。
【請求項４】
上記第１トレイに保持されているシートが画像記録完了までに搬送される距離、及び当該シートの搬送速度に基づいて第１時間を算出し、上記第２トレイに保持されているシートが画像記録完了までに搬送される距離、及び当該シートの搬送速度に基づいて第２時間を算出する時間算出手段を備え、
上記トレイ選択手段は、上記第１移動距離及び上記第２移動距離が同一である場合に、上記第１時間が上記第２時間よりも短いことを条件として、上記第１給送部に上記第１トレイからシートを給送させ、上記第２時間が上記第１時間よりも短いことを条件として、上記第２給送部に上記第２トレイからシートを給送させる請求項３に記載のインクジェット記録装置。
【請求項５】
上記第１トレイに保持されているシートが上記搬送路に沿って上記記録ヘッドの直下位置まで搬送されるときの第１搬送距離、及び上記第２トレイに保持されているシートが上記搬送路に沿って上記直下位置まで搬送されるときの第２搬送距離を算出する搬送距離算出手段を備え、
上記トレイ選択手段は、上記第１時間及び上記第２時間が同一である場合に、上記第１搬送距離が上記第２搬送距離よりも短いことを条件として、上記第１給送部に上記第１トレイからシートを給送させ、上記第２搬送距離が、上記第１搬送距離よりも短いことを条件として、上記第２給送部に上記第２トレイからシートを給送させる請求項２または４に記載のインクジェット記録装置。
【発明の詳細な説明】
【技術分野】
【０００１】
本発明は、シートに液滴を吐出することによって画像記録を行うインクジェット記録装置に関する。
【背景技術】
【０００２】
従来より、液滴を吐出してシートに画像記録を行うインクジェット記録装置が知られている。インクジェット記録装置によるシートへの画像記録は、以下のようにして実行される。つまり、複数のノズルが形成されたノズル面を有する記録部が、シートの搬送方向と交差する走査方向へ移動しながら、複数のノズルからシートへ液滴の一例であるインク滴を吐出する。
【０００３】
また、インクジェット記録装置には、シートを積載して収容可能であり、シートをインクジェット記録装置内に形成された搬送路へ供給する給送トレイが設けられている。このような給送トレイがインクジェット記録装置に複数設けられ、且つ各給送トレイに異なるサイズのシートが収容されることにより、インクジェット記録装置は、種々のサイズのシートに画像を記録することができる。通常、複数の給送トレイを備えたインクジェット記録装置は、給送トレイをシートのサイズによって選択する機能を有している。以下、上記機能について詳述する。インクジェット記録装置は、各給送トレイに収容されたシートのサイズを、当該シートをセンサで検知することなどによって、予め把握しておく。インクジェット記録装置は、ユーザの操作によって指定されたシートのサイズに合致する給送トレイを選択する。そして、インクジェット記録装置によって選択された給送トレイからシートが給送される。
【０００４】
また、インクジェット記録装置は、所定サイズのシートが縦置きされた給送トレイと、上記所定サイズのシートが横置きされた給送トレイとを備えていてもよい。この場合、各給送トレイに収容されたシートのサイズが同じであるため、インクジェット記録装置は、縦置きのシートが収容された給送トレイ及び横置きのシートが収容された給送トレイのいずれの給送トレイからシートを給送させても、画像を適正に記録することができる。
【０００５】
しかし、通常、縦置きされたシートが給送されて画像記録される場合と、横置きされたシートが給送されて画像記録される場合とでは、画像記録に要する時間が異なる問題が発生する。つまり、それぞれ縦置き及び横置きのシートが収容された２つの給送トレイのうちの一方が選択された場合、他方が選択された場合よりも、シートへの画像記録に要する時間が余分にかかってしまう。
【０００６】
このような問題を解決するために、特許文献１に記載された情報処理端末は、記録データの縦、横方向それぞれをラインで読んだ時に、ラインにデータが存在するライン数をカウントし、そのライン数が少ない方向を主走査方向として給紙方向を選択していた。これにより、情報処理端末は、それぞれ縦置き及び横置きのシートが収容された２つの給送トレイのうち、画像記録に要する時間が少ない給送トレイを選択することができた。
【先行技術文献】
【特許文献】
【０００７】
【特許文献１】特開２００２−３４７９６４号公報
【発明の概要】
【発明が解決しようとする課題】
【０００８】
しかし、単に、データが存在するライン数の多少を判断するのみでは、シートへの画像記録に要する時間が短い給送トレイを正確に選択することができない場合がある。このような場合の一例について、以下に詳述する。
【０００９】
記録部は、カラーの画像を記録する場合、主走査方向のうち一方の向き（例えば右向きであり、以下、右向きとして説明する。）へ移動する場合にのみ、インク滴（シアン、マゼンタ、イエローのインク滴）を吐出する。これにより、同一ドットに対する複数種類のインク滴の吐出順序の違いによる色相の違いの発生を防止することができる。一方、記録部は、黒の画像を記録する場合、画像記録の速度向上のために、主走査方向の一方（右向き）及び他方の向き（例えば、左向きであり、以下、左向きとして説明する。）へ移動しながら黒のインク滴を吐出する。一種類のインク滴が吐出される場合、同一ドットに対するインク滴の吐出順序の違いによる色相の違いは発生しないからである。
【００１０】
よって、シートよりも右側に位置される記録部が当該シートにカラーの画像を記録する場合、記録部は、まずインク滴を吐出することなく左向きに移動する。これにより、記録部は、当該シートよりも左側に位置される。次に、記録部は、インク滴を吐出しながら右向きに移動する。つまり、記録部は、１ラインのカラーの画像を記録するために２回移動する必要がある。
【００１１】
一方、シートよりも右側に位置される記録部が当該シートに黒の画像を記録する場合、記録部は、インク滴を吐出しながら左向きに移動する。つまり、記録部は、１ラインの黒の画像を記録するために１回移動すればよい。
【００１２】
以上より、データが存在するライン数が少ない記録データが記録される場合であっても、当該記録データがカラーのデータである場合、記録部の移動回数は多くなる。一方、データが存在するライン数が多い記録データが記録される場合であっても、当該記録データが黒のデータである場合、記録部の移動回数は少なくなる。
【００１３】
以上のような場合、データが存在するライン数の多少によって、画像記録に要する時間が短い給送トレイを正確に選択することができない。
【００１４】
本発明は、上記問題に鑑みてなされたものであり、その目的は、同サイズのシートが異なる向きで収容された複数のトレイから、画像記録に要する時間が短くなるトレイを正確に選択できる可能性が高くなるインクジェット記録装置を提供することにある。
【課題を解決するための手段】
【００１５】
(1)  本発明のインクジェット記録装置は、長方形のシートを搬送路に沿った第１向きへ搬送する搬送部と、シートが短辺を上記第１向きの下流端及び上流端として搬送可能に保持される第１トレイと、上記第１トレイに保持されているシートと同サイズのシートが長辺を上記第１向きの下流端及び上流端として搬送可能に保持される第２トレイと、上記第１トレイに保持されたシートを上記搬送路へ給送する第１給送部と、上記第２トレイに保持されたシートを上記搬送路へ給送する第２給送部と、上記搬送路の上側に設けられており、上記第１向きと直交し且つシートの画像記録面に沿った第２方向へ移動可能なキャリッジと、上記キャリッジに搭載されており、上記搬送路へ向けて液滴を吐出することによって上記搬送路を搬送されるシートに画像を記録する記録ヘッドと、上記第１向きに沿った順序でシートに画像を記録するための第１印刷データと、上記第２方向に沿った順序でシートに画像を記録するための第２印刷データと、を作成する作成手段と、上記搬送部にシートの搬送及び停止を交互に繰り返させる間欠搬送処理、及び上記間欠搬送処理においてシートが停止されている間に、上記キャリッジを往復移動させながら、上記第１印刷データまたは上記第２印刷データに基づいて、上記記録ヘッドに液滴を吐出させる記録処理を実行する制御手段と、上記第１トレイに保持されているシートに上記第１印刷データを記録するときに上記キャリッジの移動が繰り返される第１回数、及び上記第２トレイに保持されているシートに上記第２印刷データを記録するときに上記キャリッジの移動が繰り返される第２回数を算出する第１算出手段と、上記第１回数が上記第２回数よりも少ないことを条件として、上記第１給送部に上記第１トレイからシートを給送させ、上記第２回数が上記第１回数よりも少ないことを条件として、上記第２給送部に上記第２トレイからシートを給送させる第１トレイ選択手段と、を備えているインクジェット記録装置。
【００１６】
本構成によれば、第１トレイ選択手段は、シートへの画像記録時にキャリッジが移動する回数（第１回数及び第２回数）に基づいて、シートを給送させるトレイを決定する。よって、上述したカラーの画像を記録するときのように、データが存在するライン数の多少の判断では、シートへの画像記録に要する時間が短い給送トレイを正確に選択することができない場合であっても、シートへの画像記録に要する時間が短い給送トレイを正確に選択できる可能性が高くなる。
【００１７】
(2)  本発明のインクジェット記録装置は、上記第１トレイに保持されているシートに上記第１印刷データを記録するときの上記キャリッジの合計移動距離である第１移動距離、及び上記第２トレイに保持されているシートに上記第２印刷データを記録するときの上記キャリッジの合計移動距離である第２移動距離を算出する第２算出手段と、上記第１回数及び上記第２回数が同一であることを条件として実行される手段であって、上記第１移動距離が上記第２移動距離よりも短いことを条件として、上記第１給送部に上記第１トレイからシートを給送させ、上記第２移動距離が上記第１移動距離よりも短いことを条件として、上記第２給送部に上記第２トレイからシートを給送させる第２トレイ選択手段と、を更に備えている請求項１に記載のインクジェット記録装置。
【００１８】
シートへの画像記録時において、キャリッジが移動する距離が長い程、シートへの画像記録には多くの時間が必要となる可能性が高い。そして、本構成によれば、第１回数及び第２回数が同一である場合であっても、第２トレイ選択手段が、キャリッジの画像記録時における移動距離の合計に基づいて、シートを給送させるトレイを決定する。これにより、シートへの画像記録に要する時間が短い給送トレイを正確に選択できる可能性が高くなる。
【００１９】
(3)  本発明のインクジェット記録装置は、上記第１トレイに保持されているシートが画像記録完了までに搬送される距離、及び当該シートの搬送速度に基づいて第１時間を算出し、上記第２トレイに保持されているシートが画像記録完了までに搬送される距離、及び当該シートの搬送速度に基づいて第２時間を算出する第３算出手段と、上記第１移動距離及び上記第２移動距離が同一であることを条件として実行される手段であって、上記第１時間が上記第２時間よりも短いことを条件として、上記第１給送部に上記第１トレイからシートを給送させ、上記第２時間が上記第１時間よりも短いことを条件として、上記第２給送部に上記第２トレイからシートを給送させる第３トレイ選択手段と、を更に備えている請求項２に記載のインクジェット記録装置。
【００２０】
シートは、搬送部によって第１トレイまたは第２トレイから記録ヘッドの直下へ搬送され、画像記録される。そして、シートが、第１トレイまたは第２トレイに収容されている時の位置から画像記録完了時の位置まで搬送される場合の時間が短い程、シートへの画像記録の完了までに要する時間が短くなる可能性が高い。そして、本構成によれば、第１回数及び第２回数が同一であり、且つ第１移動距離及び第２移動距離が同一である場合であっても、第３トレイ選択手段が、第１トレイに収容されたシートの搬送に要する第１時間、及び第２トレイに収容されたシートの搬送に要する第２時間に基づいて、シートを給送させるトレイを決定する。これにより、シートへの画像記録に要する時間が短い給送トレイを正確に選択できる可能性が高くなる。
【００２１】
(4)  本発明のインクジェット記録装置は、長方形のシートを搬送路に沿った第１向きへ搬送する搬送部と、シートが短辺を上記第１向きの下流端及び上流端として搬送可能に保持される第１トレイと、上記第１トレイに保持されているシートと同サイズのシートが長辺を上記第１向きの下流端及び上流端として搬送可能に保持される第２トレイと、上記第１トレイに保持されたシートを上記搬送路へ給送する第１給送部と、上記第２トレイに保持されたシートを上記搬送路へ給送する第２給送部と、上記搬送路の上方に設けられており、上記第１向きと直交し且つシートの画像記録面に沿った第２方向へ移動可能なキャリッジと、上記キャリッジに搭載されており、上記搬送路へ向けて液滴を吐出することによって上記搬送路を搬送されるシートに画像を記録する記録ヘッドと、上記第１向きに沿った順序でシートに画像を記録するための第１印刷データと、上記第２方向に沿った順序でシートに画像を記録するための第２印刷データと、を作成する作成手段と、上記搬送部にシートの搬送及び停止を交互に繰り返させる間欠搬送処理、及び上記間欠搬送処理においてシートが停止されている間に、上記キャリッジを往復移動させながら、上記第１印刷データまたは上記第２印刷データに基づいて、上記記録ヘッドに液滴を吐出させる記録処理を実行する制御手段と、上記第１トレイに保持されているシートに上記第１印刷データを記録するときの上記キャリッジの合計移動距離である第１移動距離、及び上記第２トレイに保持されているシートに上記第２印刷データを記録するときの上記キャリッジの合計移動距離である第２移動距離を算出する第２算出手段と、上記第１移動距離が上記第２移動距離よりも短いことを条件として、上記第１給送部に上記第１トレイからシートを給送させ、上記第２移動距離が上記第１移動距離よりも短いことを条件として、上記第２給送部に上記第２トレイからシートを給送させる第４トレイ選択手段と、を備えているインクジェット記録装置。
【００２２】
シートへの画像記録時において、キャリッジが移動する距離が長い程、シートへの画像記録には多くの時間が必要となる可能性が高い。そして、本構成によれば、第４トレイ選択手段が、キャリッジの画像記録時における移動距離の合計に基づいて、シートを給送させるトレイを決定する。これにより、シートへの画像記録に要する時間が短い給送トレイを正確に選択できる可能性が高くなる。
【００２３】
(5)  本発明のインクジェット記録装置は、上記第１トレイに保持されているシートに上記第１印刷データを記録するときに上記キャリッジの移動が繰り返される第１回数、及び上記第２トレイに保持されているシートに上記第２印刷データを記録するときに上記キャリッジの移動が繰り返される第２回数を算出する第１算出手段と、上記第１移動距離及び上記第２移動距離が同一であることを条件として実行される手段であって、上記第１回数が上記第２回数よりも少ないことを条件として、上記第１給送部に上記第１トレイからシートを給送させ、上記第２回数が上記第１回数よりも少ないことを条件として、上記第２給送部に上記第２トレイからシートを給送させる第５トレイ選択手段と、を更に備えている請求項４に記載のインクジェット記録装置。
【００２４】
本構成によれば、第１移動距離及び第２移動距離が同一であっても、（１）と同様の理由で、シートへの画像記録に要する時間が短い給送トレイを正確に選択できる可能性が高くなる。
【００２５】
(6)  本発明のインクジェット記録装置は、上記第１トレイに保持されているシートが画像記録完了までに搬送される距離、及び当該シートの搬送速度に基づいて第１時間を算出し、上記第２トレイに保持されているシートが画像記録完了までに搬送される距離、及び当該シートの搬送速度に基づいて第２時間を算出する第３算出手段と、上記第１回数及び上記第２回数が同一であることを条件として実行される手段であって、上記第１時間が上記第２時間よりも短いことを条件として、上記第１給送部に上記第１トレイからシートを給送させ、上記第２時間が上記第１時間よりも短いことを条件として、上記第２給送部に上記第２トレイからシートを給送させる第６トレイ選択手段と、を更に備えている請求項５に記載のインクジェット記録装置。
【００２６】
本構成によれば、第１回数及び第２回数が同一であっても、（３）と同様の理由で、シートへの画像記録に要する時間が短い給送トレイを正確に選択できる可能性が高くなる。
【００２７】
(7)  本発明のインクジェット記録装置は、上記第１時間及び上記第２時間が同一であることを条件として実行される手段であって、上記第１トレイに保持されているシートが上記搬送路に沿って上記記録ヘッドの直下位置まで搬送されるときの第１搬送距離が、上記第２トレイに保持されているシートが上記搬送路に沿って上記直下位置まで搬送されるときの第２搬送距離よりも短いことを条件として、上記第１給送部に上記第１トレイからシートを給送させ、上記第２搬送距離が、上記第１搬送距離よりも短いことを条件として、上記第２給送部に上記第２トレイからシートを給送させる第７トレイ選択手段を更に備えている請求項３または６に記載のインクジェット記録装置。
【００２８】
シートは、搬送部によって第１トレイまたは第２トレイから記録ヘッドの直下へ搬送され、画像記録される。そして、トレイから記録ヘッドまでのシートの搬送距離が長い程、シートへの画像記録の完了までに要する時間が長くなる可能性が高い。そして、本構成によれば、第７トレイ選択手段が、シートの各トレイから記録ヘッドの直下までの搬送距離に基づいて、シートを給送させるトレイを決定する。これにより、シートへの画像記録に要する時間が短い給送トレイを正確に選択できる可能性が高くなる。
【発明の効果】
【００２９】
本発明においては、シートへの画像記録時にキャリッジが移動する回数（第１回数及び第２回数）に基づいて、シートを給送させるトレイが決定される。よって、同サイズのシートが異なる向きで収容された複数のトレイから、画像記録に要する時間が短くなるトレイを正確に選択できる可能性が高くなる。
【図面の簡単な説明】
【００３０】
【図１】図１は、本発明の実施形態の一例である複合機１の外観斜視図である。
【図２】図２は、プリンタ部２の内部構造を模式的に示す縦断面図である。
【図３】図３は、記録ヘッド６５の下面図である。
【図４】図４は、マイクロコンピュータ１３０の構成を示すブロック図である。
【図５】図５は、トレイ選択制御の処理手順を説明するためのフローチャートである。
【図６】図６は、第１回数及び第２回数の算出手順を説明するためのフローチャートである。
【図７】図７は、第１移動距離及び第２移動距離の算出手順を説明するためのフローチャートである。
【図８】図８は、第１時間及び第２時間の算出手順を説明するためのフローチャートである。
【図９】図９は、記録部２４及び記録用紙１９を模式的に示す平面図である。
【図１０】図１０は、変形例２におけるトレイ選択制御の処理手順を説明するためのフローチャートである。
【発明を実施するための形態】
【００３１】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。また、以下の説明では、ベクトルにおいて矢印を考慮して起点から終点に向かう進みが向きと表現され、ベクトルにおいて矢印を考慮せずに起点と終点とを結ぶ線上の往来が方向と表現される。また、以下の説明では、複合機１が使用可能に設置された状態（図１の状態）を基準として上下方向１４が定義され、操作パネル９が設けられている側を手前側（正面）として前後方向１２が定義され、複合機１を手前側（正面）から見て左右方向１３が定義される。
【００３２】
［複合機１］
図１に示されるように、本発明のインクジェット記録装置の一例である複合機１は、下部に配設されたプリンタ部２と、プリンタ部２の上部に配設されたスキャナ部３などを一体的に備えた多機能装置である。複合機１は、プリンタ機能、スキャナ機能、コピー機能、及びファクシミリ機能などを有する。
【００３３】
なお、本実施形態において、複合機１はプリンタ機能として片面画像記録機能のみ有しているが、複合機１は両面画像記録機能を有していてもよい。また、本発明を実現するうえで、ファクシミリ機能は任意の機能であり、例えば、本発明に係るインクジェット記録装置が、スキャナ機能及びプリンタ機能のみを有するプリンタとして実施されてもよい。
【００３４】
複合機１は、主にコンピュータなどの外部情報機器（不図示）と接続された状態で使用される。複合機１の上面の前方側であって、スキャナ部３の正面側の上面には、プリンタ部２やスキャナ部３を操作するための操作パネル９が設けられている。操作パネル９は、各種操作ボタンや液晶表示部１１から構成されている。複合機１は、操作パネル９からの指示情報、又は外部情報機器から送信される指示情報に基づいて、複合機１の動作を統括する後述されるマイクロコンピュータ１３０（図４参照）により動作される。
【００３５】
［スキャナ部３］
図１に示されるように、スキャナ部３は、フラットベッドスキャナ（ＦＢＳ：Flat Bed Scanner）として機能する原稿台３５を備えている。原稿台３５の上面には、原稿が載置されるプラテンガラス（不図示）が設けられている。スキャナ部３は、原稿台３５の上側に配置された原稿カバー３６を備えている。原稿カバー３６は、プラテンガラスを覆うように原稿台３５に対して開閉自在である。原稿カバー３６は、原稿台３５の背面側の蝶番（不図示）を介して原稿台３５と連結されている。原稿台３５の内部、つまりプラテンガラスの下側には、イメージセンサ（不図示）が設けられている。プラテンガラスに載置された原稿の画像は、イメージセンサによって読み取られる。
【００３６】
プリンタ部２は、スキャナ部３で読み取られた原稿の印刷データに基づいて、記録用紙１９（本発明のシートの一例）に画像を記録する。なお、プリンタ部２は、外部情報機器から受信した印刷データに基づいて、記録用紙１９に画像を記録してもよい。この場合、印刷データは、公知の通信インタフェースを介して、マイクロコンピュータ１３０に入力される。
【００３７】
原稿カバー３６には、ＡＤＦ（Auto Document Feeder）３７が設けられている。ＡＤＦ３７は、原稿載置トレイ３８、原稿搬送ローラ（不図示）、原稿搬送路（不図示）、及び原稿排出トレイ３９を備えている。
【００３８】
原稿載置トレイ３８には、原稿が、画像が記録された面を上側にした状態で載置される。原稿載置トレイ３８に載置された原稿は、原稿搬送ローラによって原稿搬送路に沿った向き（以下、原稿搬送向きと記される。）に搬送される。これにより、原稿は、イメージセンサによる画像の読取位置（不図示）へ搬送される。このとき、原稿の状態は、画像が記録された面を下側にした状態、つまり画像が記録された面とイメージセンサとが対向している状態である。原稿に記録された画像は、イメージセンサによって、原稿搬送向きの先端側から順に読み取られる。その後、原稿は、原稿排出トレイ３９へ排出される。
【００３９】
［プリンタ部２］
図１に示されるように、プリンタ部２は、正面に開口４が形成されたケーシング５を有する。ケーシング５内にプリンタ部２の各構成要素が配設されている。本実施形態において、各構成要素は、図２に示されるように、第１給紙トレイ２０（本発明の第１トレイの一例）、第２給紙トレイ２２（本発明の第２トレイの一例）、排紙トレイ２１、第１給送部１７（本発明の第１給送部の一例）、第２給送部１８（本発明の第２給送部の一例）、搬送路２３（本発明の搬送路の一例）、搬送ローラ対５４（本発明の搬送部の一例）、排出ローラ対５５（本発明の搬送部の一例）、及び記録部２４などである。
【００４０】
［給紙トレイ２０、２２及び排紙トレイ２１］
図１に示されるように、開口４を通じて、第１給紙トレイ２０、第２給紙トレイ２２、及び排紙トレイ２１（図２参照）が複合機１に装着される。なお、図１では、第１給紙トレイ２０、第２給紙トレイ２２、及び排紙トレイ２１が省略されている。
【００４１】
図２に示されるように、第１給紙トレイ２０及び第２給紙トレイ２２は、プリンタ部２に装着された状態において、記録部２４の下方に配置されている。第１給紙トレイ２０は、プリンタ部２に装着された状態において、第２給紙トレイ２２の上側に重なるように配置されている。各給紙トレイ２０、２２は、平面視で矩形の皿状に概ね形成されている。各給紙トレイ２０、２２には、Ａ４サイズやＢ５サイズ等の所望のサイズの記録用紙１９が収容される。各給紙トレイ２０、２２がプリンタ部２に装着された状態において、各給紙トレイ２０、２２に収容された記録用紙１９が搬送路２３へ供給可能となる。
【００４２】
本実施形態において、各給紙トレイ２０、２２に収容される記録用紙１９は長方形である。また、本実施形態において、各給紙トレイ２０、２２には、同サイズの記録用紙１９が収容される。第１給紙トレイ２０には、記録用紙１９が短辺を前後方向１２の下流端及び上流端として、つまり複合機１０の正面から見て縦置き状態で収容されている。換言すると、第１給紙トレイ２０には、記録用紙１９が短辺を後述する搬送向き１５（図２参照、本発明の第１向きに相当）の下流端及び上流端として搬送可能に保持されている。また、第２の給紙トレイ２２には、給紙トレイ２０に収容されている記録用紙１９と同サイズの記録用紙１９が長辺を前後方向１２の下流端及び上流端として、つまり複合機１０の正面から見て横置き状態で収容されている。換言すると、第２の給紙トレイ２２には、記録用紙１９が長辺を搬送向き１５の下流端及び上流端として搬送可能に保持されている。
【００４３】
なお、記録用紙１９は、第１給紙トレイ２０に横置き状態で収容され、第２給紙トレイ２２に縦置き状態で収容されてもよい。つまり、第１給紙トレイ２０が本発明の第２トレイの一例であり、第２給紙トレイ２２が本発明の第１トレイの一例であってもよい。
【００４４】
排紙トレイ２１には、記録部２４によって画像が記録された記録用紙１９が排出される。排紙トレイ２１は、第１給紙トレイ２０を覆うように設けられている。つまり、排紙トレイ２１は、第１給紙トレイ２０の上面に形成されている。
【００４５】
［第１給送部１７及び第２給送部１８］
図２に示されるように、第１給紙トレイ２０の上側には、第１給送部１７が設けられている。第１給送部１７は、第１給紙ローラ２５、第１給紙アーム２６、及び第１駆動伝達機構２７を備えている。第１給紙ローラ２５は、第１給紙トレイ２０に接離可能に上下動する第１給紙アーム２６の端部で軸支されている。第１給紙ローラ２５は、複数のギアが噛合されてなる第１駆動伝達機構２７によって、第１給紙モータ７６（図４参照）の駆動力が伝達されて回転する。第１給紙ローラ２５は、第１給紙トレイ２０上の記録用紙１９に圧接して、その状態で回転する。これにより、第１給紙トレイ２０に保持された記録用紙１９が、以下で説明される搬送路２３へ給送される。
【００４６】
第２給紙トレイ２２の上側には、第２給送部１８が設けられている。第２給送部１８は、第２給紙ローラ１２５、第２給紙アーム１２６、及び第２駆動伝達機構１２７を備えており、上述した第１給送部１７と同様に構成されている。第２給送部１８は、第２給紙モータ７７（図４参照）から駆動伝達されることにより、第２給紙トレイ２２に保持された記録用紙１９を、搬送路２３へ給送する。
【００４７】
なお、各給送部１７、１８は、共通の給紙モータから駆動伝達機構を介して駆動伝達されてもよい。この場合、例えば、駆動伝達機構は遊星ギヤを備えている。これにより、給紙モータからの駆動力は、遊星ギヤを介して各給送部１７、１８に選択的に伝達される。
【００４８】
［搬送路２３］
図２に示されるように、搬送路２３は、給紙トレイ２０の後側の端部から上方且つ複合機１の前側へ曲がって、複合機１（プリンタ部２）の背面側（後側）から正面側（前側）へ延出されている。搬送路２３は、搬送ローラ対５４による挟持位置、記録部２４の下側、及び排出ローラ対５５による挟持位置を通過して排紙トレイ２１へ通じている。給紙トレイ２０から給送された記録用紙１９は、搬送路２３により下方から上方へＵターンするように案内されて記録部２４に至る。記録用紙１９は、記録部２４により画像記録が行われた後、排紙トレイ２１に排出される。搬送路２３は、記録部２４などが配設されている箇所以外は、所定間隔で対向する外側ガイド部材２９及び内側ガイド部材２８によって形成されている。
【００４９】
以下、記録用紙１９が、搬送ローラ対５４による挟持位置から記録部２４の下方を通過して排紙トレイ２１へ搬送される向き（図２に破線の矢印で示される向き）を、搬送向き１５として説明を行う。
【００５０】
［搬送ローラ対５４及び排出ローラ対５５］
図２に示されるように、記録部２４よりも搬送向き１５の上流側には、搬送ローラ対５４が設けられている。搬送ローラ対５４は、搬送ローラ４７とピンチローラ４８とが一体にユニット化されたものである。記録部２４よりも搬送向き１５の下流側には、排紙ローラ４９と拍車５０とを有する排出ローラ対５５が設けられている。
【００５１】
搬送ローラ４７及び排紙ローラ４９は、搬送モータ５９（図４参照）から駆動伝達機構（不図示）を介して駆動力が伝達されて回転される。搬送ローラ４７が正転駆動（図２における反時計回りに駆動）されることで、給紙トレイ２０から給送された記録用紙１９は、搬送ローラ対５４により狭持されて、搬送向き１５へ搬送される。排紙ローラ４９が正転駆動されることで、記録部２４による画像記録済みの記録用紙１９は、排出ローラ対５５により狭持されて、搬送向き１５へ搬送される。
【００５２】
図２に示されるように、搬送ローラ４７の回転量を検出するロータリーエンコーダ６８が設けられている。ロータリーエンコーダ６８は、搬送ローラ４７と同軸に設けられて搬送ローラ４７と共に回転するエンコーダディスク５１と光学センサ６０とからなる。エンコーダディスク５１には、その円周方向に一定間隔で光を透過する透過部と光を透過しない非透過部とが等ピッチで交互に配置されたパターンが形成されている。搬送ローラ４７と共にエンコーダディスク５１が回転すると、光学センサ６０によってロータリーエンコーダ６８のマークが検出される毎にパルス信号が生成される。パルス信号はマイクロコンピュータ１３０へと出力される。
【００５３】
［記録部２４］
図２に示されるように、記録部２４は、搬送路２３の上方に設けられている。記録部２４は、搬送路２３の下側から記録用紙１９を支持するプラテン６６と対向して搬送路２３の上側に配置されたキャリッジ６７（本発明のキャリッジの一例）と、キャリッジ６７に搭載された記録ヘッド６５（本発明の記録ヘッドの一例）と、インクカートリッジ（不図示）から供給されるインクを貯留する４つのサブタンク（不図示）とを備えている。
【００５４】
キャリッジ６７は、プリンタ部２のフレーム（不図示）に取り付けられた前後一対のガイドレール（不図示）に跨り、搬送向き１５と直交し且つ記録用紙１９の画像記録面に沿った左右方向１３に沿って移動可能にガイドレールに支持されている。キャリッジ６７は、キャリッジ駆動モータ１０３（図４参照）から駆動伝達されることにより、左右方向１３（本発明の第２方向に相当）に移動される。
【００５５】
ガイドレールには、リニアエンコーダ４２（図４参照）のエンコーダストリップ（不図示）が配設されている。エンコーダストリップには、光を透過する透過部と、光を透過しない非透過部とが等ピッチで交互に配置されたパターンが形成されている。キャリッジ６７には、エンコーダストリップのパターンを検出するための光学センサ（不図示）が搭載されている。光学センサによってエンコーダストリップのマークが検出される毎にパルス信号が生成される。パルス信号は、マイクロコンピュータ１３０へと出力される。
【００５６】
記録ヘッド６５は、下面からプラテン６６に向けて配置された複数個のノズル３０（図３参照）と、サブタンク及びノズル３０を繋ぐインク流路（不図示）と、インク流路の一部を変形させることでノズル３０からインク滴を吐出させる圧電素子４４（図４参照）とを備えている。圧電素子４４は、不図示のドライブ回路を介して後述するマイクロコンピュータ１３０により給電されることで動作する。
【００５７】
各サブタンクには、シアン、マゼンタ、イエロー、ブラックの各色のインクの一つが貯留される。図３に示されるように、シアンのサブタンクに対して複数個のノズル３０からなる第１ノズル列３１が設けられている。第１ノズル列３１は前後方向１２に沿って延びている。第１ノズル列３１と同様に、マゼンタ、イエロー、ブラックの各サブタンクに対応してそれぞれ第２ノズル列３２、第３ノズル列３３、第４ノズル列３４が設けられている。
【００５８】
記録部２４は、後述するマイクロコンピュータ１３０に制御されることによって、搬送路２３に向けてインク滴（本発明の液滴の一例）をノズル３０から吐出する。これにより、記録用紙１９に画像が記録される。
【００５９】
［マイクロコンピュータ１３０］
以下、図４が参照されて、マイクロコンピュータ１３０の概略構成が説明される。マイクロコンピュータ１３０が後述するフローチャートにしたがってトレイ選択制御を行うことによって、本発明が実現される。マイクロコンピュータ１３０は、複合機１の全体動作を制御する。マイクロコンピュータ１３０は、ＣＰＵ１３１、ＲＯＭ１３２、ＲＡＭ１３３、ＥＥＰＲＯＭ１３４、ＡＳＩＣ１３５、及びこれらを相互に接続する内部バス１３７を備えている。
【００６０】
ＲＯＭ１３２には、ＣＰＵ１３１が複合機１のトレイ選択制御を含む各種動作を制御するためのプログラムなどが格納されている。ＲＡＭ１３３は、ＣＰＵ１３１が上記プログラムを実行する際に用いるデータや信号等を一時的に記録する記憶領域として使用される。ＥＥＰＲＯＭ１３４には、電源オフ後も保持すべき設定やフラグ等が格納される。
【００６１】
ＡＳＩＣ１３５には、第１給紙モータ７６、第２給紙モータ７７、キャリッジ駆動モータ１０３、搬送モータ５９、及び圧電素子４４が接続されている。ＡＳＩＣ１３５には、各モータを制御する駆動回路が組み込まれている。ＣＰＵ１３１から所定のモータに応じた駆動回路に各モータを回転させるための駆動信号が入力されると、駆動信号に応じた駆動電流が駆動回路から対応するモータへ出力される。これにより、対応するモータが所定の回転速度で正転又は逆転する。つまり、マイクロコンピュータ１３０は、各モータ５９、７６、１０３を制御する。
【００６２】
また、ＡＳＩＣ１３５には、ロータリーエンコーダ６８の光学センサ６０から出力されるパルス信号、及びリニアエンコーダ４２の光学センサから出力されるパルス信号が入力される。マイクロコンピュータ１３０は、ロータリーエンコーダ６８からのパルス信号に基づいて、搬送ローラ４７の回転量を算出し、算出した回転量を目標回転量に一致するよう搬送モータ５９を回転させる駆動回路に駆動信号を出力する。つまり、マイクロコンピュータ１３０は、ロータリーエンコーダ６８からのパルス信号に基づいて、搬送ローラ４７の回転量を制御する。また、マイクロコンピュータ１３０は、リニアエンコーダ４２からのパルス信号に基づいて、キャリッジ６７の速度及び位置を算出し、算出した速度または位置を目標速度または目標位置に一致するようキャリッジ駆動モータ１０３を回転させる駆動回路に駆動信号を出力する。つまり、マイクロコンピュータ１３０は、リニアエンコーダ４２からのパルス信号に基づいて、キャリッジ６７の移動を制御する。
【００６３】
マイクロコンピュータ１３０は、記録用紙１９に画像を記録する際、搬送モータ５９を制御して、プラテン６６上の記録用紙１９に対して、搬送向き１５へ所定の改行幅での搬送と、停止とを交互に繰り返させる。つまり、マイクロコンピュータ１３０は、搬送ローラ対５４及び排出ローラ対５５を制御して、記録用紙１９の搬送及び停止を交互に繰り返させる間欠搬送処理（本発明の間欠搬送処理に相当）を実行する。そして、マイクロコンピュータ１３０は、記録用紙１９の搬送が停止されている間に、片方向記録処理及び双方向記録処理を選択的に実行する。
【００６４】
片方向記録処理は、キャリッジ６７を右向きへ移動させつつノズル３０からインク滴を吐出させ、かつキャリッジ６７を左向きへ移動させるときにノズル３０からインク滴を吐出させない処理である。以下に詳述する。マイクロコンピュータ１３０は、片方向記録処理を実行する際、リニアエンコーダ４２からのパルス信号によって、キャリッジ６７の現在位置を把握する。キャリッジ６７の現在位置がこれから画像を記録しようとしている記録用紙１９上の領域よりも右側である場合、マイクロコンピュータ１３０は、ノズル３０からインク滴を吐出させることなく、キャリッジ６７を左向きに移動させる。これにより、キャリッジ６７は、当該領域よりも左側へ移動される。その後、マイクロコンピュータ１３０は、ノズル３０からインク滴を吐出させながら、キャリッジ６７を右向きに移動させる。一方、キャリッジ６７の現在位置が、これから画像を記録しようとしている記録用紙１９上の領域よりも左側である場合、マイクロコンピュータ１３０は、ノズル３０からインク滴を吐出させながら、キャリッジ６７を右向きに移動させる。
【００６５】
双方向記録処理は、キャリッジ６７を右向き及び左向きに移動させつつノズル３０からインク滴を吐出させる処理である。以下に詳述する。マイクロコンピュータ１３０は、片方向記録処理を実行する際、リニアエンコーダ４２からのパルス信号によって、キャリッジ６７の現在位置を把握する。マイクロコンピュータ１３０は、キャリッジ６７の現在位置がこれから画像を記録しようとしている記録用紙１９上の領域よりも右側である場合、ノズル３０からインク滴を吐出させながら、キャリッジ６７を左向きに移動させる。一方、マイクロコンピュータ１３０は、キャリッジ６７の現在位置が当該領域よりも左側である場合、ノズル３０からインク滴を吐出させながら、キャリッジ６７を右向きに移動させる。つまり、マイクロコンピュータ１３０は、キャリッジ６７の移動向きが左右いずれの向きであっても、ノズル３０からインク滴を吐出させながら、キャリッジ６７を移動させる。
【００６６】
図９に示されるように、キャリッジ６７が、左右方向１３に移動する間に、記録ヘッド６５に形成されたノズル３０（図９において複数の円で示されている。）は、記録用紙１９の上方を破線で示されたライン８０に沿って移動する。なお、図９には、搬送向き１５の最下流に形成されたノズル３０の移動経路としてのライン８０のみが記されているが、実際には、全てのノズル３０がライン８０と平行な経路に沿って移動する。
【００６７】
キャリッジ６７が移動されるとき、各ノズル３０からインク滴が吐出されることによって、記録用紙１９の面上においてライン８０に沿って画像が記録される。なお、ライン８０は、図９には示されていないが、左右方向１３に沿って一列に並んだドットの集まりである。例えば、キャリッジ６８が移動されるときに全てのノズル３０からインク滴が吐出された場合、記録用紙１９に記録される画像のライン数は、記録ヘッド６５のヘッド長に相当するノズル３０の数（図３における前後方向１２のノズル３０の数）と同じとなる。
【００６８】
マイクロコンピュータ１３０は、後述する第１印刷データまたは第２印刷データに基づいて、各ドットに４種類のインクのうち何種類のインクを吐出するかを決定する。そして、マイクロコンピュータ１３０は、記録ヘッド６５の圧電素子４４への給電を制御して、当該決定に従ったインクを吐出させる。これにより、記録用紙１９には、ライン８０に沿って画像が記録される。
【００６９】
また、本実施形態において、マイクロコンピュータ１３０は、ノズル３０から吐出されるインクが黒以外のカラーを所定割合未満のみ含む場合、双方向記録処理を実行し、ノズル３０から吐出されるインクが黒以外のカラーを所定割合以上含む場合、片方向記録処理を実行する。
【００７０】
以上より、マイクロコンピュータ１３０は、間欠搬送処理において記録用紙１９が停止されている間に、キャリッジ６７を往復移動させながら、第１印刷データまたは第２印刷データに基づいて、記録ヘッド６５に液滴を吐出させる記録処理（本発明の記録処理に相当）を実行する。
【００７１】
［トレイ選択制御］
上述の如く構成されたプリンタ部２においては、マイクロコンピュータ１３０によって、２つの給紙トレイ２０、２２から１つを選択するトレイ選択制御が実行される。以下、図５〜図８のフローチャートに基づいて、トレイ選択制御の処理手順が説明される。
【００７２】
原稿載置トレイ３８に原稿が載置され、操作パネル９から印刷指示が入力されると、原稿は、原稿搬送ローラによって読取位置まで搬送される。そして、原稿に記録されている画像が、イメージセンサによって読み取られることによって、第１印刷データ（本発明の第１印刷データに相当）がＲＡＭ１３３に記憶される。つまり、第１印刷データが作成される。なお、第１印刷データは、外部情報機器から受信されることによって、ＲＡＭ１３３に記憶、つまり作成されてもよい。
【００７３】
第１印刷データは、原稿に記録されている画像を、原稿搬送向きの先端から後端の順序で、記録用紙１９に記録するためのデータである。ここで、記録用紙１９は、搬送向き１５の先端から後端の順序で、記録部２４によって画像記録される。よって、第１印刷データは、搬送向き１５に沿った順序で記録用紙１９に画像を記録させるためのデータである。
【００７４】
次に、マイクロコンピュータ１３０は、第１印刷データを第２印刷データ（本発明の第２印刷データに相当）に変換する（ＳＡ２）。つまり、マイクロコンピュータ１３０は、第２印刷データを作成する。作成された第２印刷データは、ＲＡＭ１３３に記憶される。第２印刷データは、原稿に記録されている画像を、右端から左端の順序または左端から右端の順序、つまり左右方向１３に沿った順序で、記録用紙１９に記録するためのデータである。よって、第２印刷データによって記録用紙１９に記録された画像は、第１印刷データによって記録用紙１９に記録された画像を、９０度だけ右回転または左回転させた画像となる。以上より、ステップＳＡ２の処理は、本発明の作成手段に相当する。
【００７５】
次に、マイクロコンピュータ１３０は、後述される図６のフローチャートに従った方法などによって、第１回数（本発明の第１回数に相当）及び第２回数（本発明の第２回数に相当）を算出する（ＳＡ３）。ステップＳＡ３の処理は、本発明の第１算出手段に相当する。ここで、第１回数は、第１給紙トレイ２０に保持されている記録用紙１９に第１印刷データを記録するときにキャリッジ６７の移動が繰り返される回数である。第２回数は、第２給紙トレイ２２に保持されている記録用紙１９に第２印刷データを記録するときにキャリッジ６７の移動が繰り返される回数である。
【００７６】
マイクロコンピュータ１３０は、算出した第１回数及び第２回数を比較する（ＳＡ４、ＳＡ５）。第１回数及び第２回数が等しい場合（ＳＡ４：Ｙｅｓ）、ステップＳＡ６の処理が実行される。
【００７７】
第２回数が第１回数よりも大きい場合（ＳＡ５：Ｙｅｓ）、マイクロコンピュータ１３０は、記録用紙１９への画像記録を第２印刷データに基づいて行うことを決定する（ＳＡ１４）。このとき、マイクロコンピュータ１３０は、ＲＡＭ１３３に記憶されている第１印刷データを消去してもよい。また、マイクロコンピュータ１３０は、第２給紙モータ７７を駆動することによって、第２給紙ローラ１２５に、第２給紙トレイ２２から記録用紙１９を給送させる（ＳＡ１５）。
【００７８】
第１回数が第２回数よりも大きい場合（ＳＡ５：Ｎｏ）、マイクロコンピュータ１３０は、記録用紙１９の画像記録を第１印刷データに基づいて行うことを決定する（ＳＡ１６）。このとき、マイクロコンピュータ１３０は、ＲＡＭ１３３に記憶されている第２印刷データを消去してもよい。また、マイクロコンピュータ１３０は、第１給紙モータ７６を駆動することによって、第１給紙ローラ２５に、第１給紙トレイ２０から記録用紙１９を給送させる（ＳＡ１７）。以上より、ステップＳＡ５、ＳＡ１４〜ＳＡ１７の処理は、本発明の第１トレイ選択手段に相当する。
【００７９】
ステップＳＡ６において、マイクロコンピュータ１３０は、後述される図７のフローチャートに従った方法などによって、第１移動距離（本発明の第１移動距離に相当）及び第２移動距離（本発明の第２移動距離に相当）を算出する。ステップＳＡ６の処理は、本発明の第２算出手段に相当する。ここで、第１移動距離は、第１給紙トレイ２０に保持されている記録用紙１９に第１印刷データを記録するときのキャリッジ６７の合計移動距離である。第２移動距離は、第２給紙トレイ２２に保持されている記録用紙１９に第２印刷データを記録するときのキャリッジ６７の合計移動距離である。
【００８０】
マイクロコンピュータ１３０は、算出した第１移動距離及び第２移動距離を比較する（ＳＡ７、ＳＡ８）。第１移動距離数及び第２移動距離が等しい場合（ＳＡ７：Ｙｅｓ）、ステップＳＡ９の処理が実行される。第２移動距離が第１移動距離よりも短い場合（ＳＡ８：Ｙｅｓ）、ステップＳＡ１４、ＳＡ１５の処理が実行される。第１移動距離が第２移動距離よりも短い場合（ＳＡ８：Ｎｏ）、ステップＳＡ１６、ＳＡ１７の処理が実行される。以上より、ステップＳＡ８、ＳＡ１４〜ＳＡ１７の処理は、本発明の第２トレイ選択手段に相当する。
【００８１】
ステップＳＡ９において、マイクロコンピュータ１３０は、後述される図８のフローチャートに従った方法などによって、第１時間（本発明の第１時間に相当）及び第２時間（本発明の第２時間に相当）を算出する。ステップＳＡ９の処理は、本発明の第３算出手段に相当する。
【００８２】
ここで、第１時間は、第１給紙トレイ２０に保持されている記録用紙１９の画像記録完了までの搬送に要する時間である。但し、第１時間には、記録処理において記録用紙１９が停止されている時間は含まれない。第１時間は、第１給紙トレイ２０に保持されている記録用紙１９が画像記録完了までに搬送される距離、及び当該記録用紙１９の搬送速度に基づいて算出される。なお、記録用紙１９の搬送距離は、ロータリーエンコーダ６８の光学センサ６０からのパルス信号に基づいて算出可能である。例えば、図２に示されるように、記録用紙１９が第１給紙トレイ２０に保持されている位置から画像記録開始時の位置までが区間Ａ１（距離Ａ１）であり、画像記録開始位置から画像記録完了位置までが区間Ａ２（距離Ａ２）であり、画像記録完了位置から排出位置までが区間Ａ３（距離Ａ３）であり、記録用紙１９が区間Ａ１、Ａ３を搬送されるときの搬送速度が速度Ｖ１であり、記録用紙１９が区間Ａ２を搬送されるときの搬送速度が速度Ｖ２であるとする。このとき、第１時間Ｔ１は、Ｔ１＝（Ａ１／Ｖ１）＋（Ａ２／Ｖ２）＋（Ａ３／Ｖ１）の式によって算出される。
【００８３】
第２時間は、第２給紙トレイ２２に保持されている記録用紙１９の画像記録完了までの搬送に要する時間である。但し、第２時間にも、第１時間と同様に、記録処理において記録用紙１９が停止されている時間は含まれない。第２時間は、第２給紙トレイ２２に保持されている記録用紙１９が画像記録完了までに搬送される距離、及び当該記録用紙１９の搬送速度に基づいて、第１時間と同様にして算出される。
【００８４】
マイクロコンピュータ１３０は、算出した第１時間及び第２時間を比較する（ＳＡ１０、ＳＡ１１）。第１時間及び第２時間が等しい場合（ＳＡ１０：Ｙｅｓ）、ステップＳＡ１２の処理が実行される。第１時間が第２時間よりも大きい場合（ＳＡ１１：Ｙｅｓ）、ステップＳＡ１４、ＳＡ１５の処理が実行される。第２時間が第１時間よりも大きい場合（ＳＡ１１：Ｎｏ）、ステップＳＡ１６、ＳＡ１７の処理が実行される。以上より、ステップＳＡ１１、ＳＡ１４〜ＳＡ１７の処理は、本発明の第３トレイ選択手段に相当する。
【００８５】
第１時間及び第２時間が等しい場合（ＳＡ１０：Ｙｅｓ）、マイクロコンピュータ１３０は、第１搬送距離（本発明の第１搬送距離に相当）及び第２搬送距離（本発明の第２搬送距離に相当）を算出し（ＳＡ１２）、比較する（ＳＡ１３）。ここで、第１搬送距離は、第１給紙トレイ２０に保持されている記録用紙１９が搬送路２３に沿って記録ヘッド６５の直下位置まで搬送されるときの距離である。第２搬送距離は、第２給紙トレイ２２に保持されている記録用紙１９が搬送路２３に沿って記録ヘッド６５の直下位置まで搬送されるときの距離である。第１搬送距離及び第２搬送距離は複合機１が設計される際に決定される寸法であり、例えば、第１搬送距離は、図２に示される搬送路２３に沿った長さＣであり、第２搬送距離は、図２に示される搬送路２３に沿った長さＤである。
【００８６】
第１搬送距離が第２搬送距離よりも長い場合（ＳＡ１３：Ｙｅｓ）、ステップＳＡ１４、ＳＡ１５の処理が実行される。第２搬送距離が第１搬送距離よりも長い場合（ＳＡ１３：Ｎｏ）、ステップＳＡ１６、ＳＡ１７の処理が実行される。以上より、ステップＳＡ１３〜ＳＡ１７の処理は、本発明の第７トレイ選択手段に相当する。
【００８７】
マイクロコンピュータ１３０は、ステップＳＡ１５、ＳＡ１７において給紙トレイ２０、２２から給送された記録用紙１９に対して、上述した間欠搬送処理及び記録処理を実行する（ＳＡ１８）。つまり、ステップＳＡ１８の処理は、本発明の制御手段に相当する。そして、マイクロコンピュータ１３０は、搬送モータ５９を制御することによって、排紙ローラ４９に、画像記録後の記録用紙１９を排紙トレイ２１に排出させる（ＳＡ１９）。
【００８８】
次に、図６のフローチャートに基づいて、マイクロコンピュータ１３０による第１回数及び第２回数の算出方法の一例が説明される。第１回数は第１印刷データに基づいて算出され、第２回数は第２印刷データに基づいて算出される。第１回数及び第２回数の算出は、基となる印刷データを除いて、同様の方法で算出されてよい。よって、以下においては、第１回数の算出が説明され、第２回数の算出の説明は省略される。
【００８９】
マイクロコンピュータ１３０は、第１回数の算出において使用される各パラメータを初期化する（ＳＢ１）。各パラメータは、パス数Ｍ及びライン数Ｎである。
【００９０】
パス数Ｍ（以下、Ｍパスとも称される。）は、記録用紙１９に画像を記録する過程におけるパスの数である。ここで、パスとは、キャリッジ６７が右向きまたは左向きに１回移動する間に、記録ヘッド６５からインク滴が噴出されて画像記録される単位である。例えば、パス数Ｍが０の状態において、キャリッジ６７が右向きに移動する間に画像記録されると、当該画像記録は１パスであり、次にキャリッジ６７が左向きに移動する間に画像記録されると、当該画像記録は２パスである。図６のフローチャートにおける処理が終了したときのパス数Ｍが、第１回数である。
【００９１】
ライン数Ｎ（以下、Ｎラインとも称される。）は、上述されたライン８０（図９参照）の数である。
【００９２】
マイクロコンピュータ１３０は、Ｎラインに対応する第１印刷データが空白データであるか否かを判定する（ＳＢ２）。ここで、空白データは、全てのドットにおいてインクが吐出されないことが示されたデータである。
【００９３】
Ｎラインに対応する第１印刷データが空白データである場合（ＳＢ２：Ｙｅｓ）、マイクロコンピュータ１３０は、ライン数Ｎをインクリメントする（ＳＢ３）。次に、マイクロコンピュータ１３０は、ライン数Ｎが最終ライン、つまり頁全体のライン数（図９における前後方向１２の範囲Ｅ）と等しいか否かを判定する（ＳＢ１４）。ライン数Ｎが頁全体のライン数と等しい場合（ＳＢ１４：Ｙｅｓ）、マイクロコンピュータ１３０は、その時点におけるパス数Ｍを第１回数として、一連の処理を終了する。
【００９４】
Ｎラインに対応する第１印刷データが空白データでない場合（ＳＢ２：Ｎｏ）、マイクロコンピュータ１３０は、パス数Ｍをインクリメントする（ＳＢ４）。次に、マイクロコンピュータ１３０は、Ｎラインから前後方向１２のノズル３０の数（記録ヘッド６５のヘッド長に相当するノズル３０の数）に対応する第１印刷データのうち、Ｎラインを先頭とした第１区間内のカラードットの割合が予め設定された閾値よりも小さいか否かを判定する（ＳＢ５）。
【００９５】
ここで、第１区間は、図９に示されるように、符号８１で示される区間である。つまり、第１区間８１は、左右方向１３の長さがキャリッジ６７の移動可能範囲に基づいて決定される記録ヘッド６５による画像記録可能範囲Ｇ（図８では記録用紙１９の左右方向１３の長さ）であり、前後方向１２の長さが範囲Ｆに対応するライン数（記録ヘッド６５に形成されたノズル３０の前後方向１２の数）よりも少ないライン数に対応する範囲Ｈである領域である。なお、範囲Ｈに対応するライン数は、少なくとも１ラインである。また、図９においては、記録用紙１９上の一部の第１区間８１のみが示されている。
【００９６】
また、閾値は、第１区間８１がカラーが多い領域とカラーが少ない領域との何れの領域であるかを設定するための値である。本実施形態において、閾値の単位はパーセント（％）であり、具体的には、２０（％）に設定されている。なお、第１閾値は、本実施形態において設定された単位及び値に限らない。
【００９７】
ステップＳＢ５において、第１区間８１内のカラードットの割合が閾値より小さい場合（ＳＢ５：Ｙｅｓ）、ステップＳＢ６が実行され、閾値以上の場合（ＳＢ５：Ｎｏ）、ステップＳＢ７が実行される。
【００９８】
ステップＳＢ６において、マイクロコンピュータ１３０は、Ｎラインから第１区間８１以降の第２区間内のカラードットの割合が予め設定された閾値よりも小さいか否かを判定する（ＳＢ６）。
【００９９】
ここで、第２区間は、図９に示されるように、符号８２で示される区間である。つまり、第２区間８２は、左右方向１３の長さが画像記録可能範囲Ｇであり、前後方向１２の長さが範囲Ｆに対応するライン数から範囲Ｈに対応するライン数を除いた範囲Ｉである領域である。なお、図９においては、記録用紙１９上の一部の第２区間８２のみが示されている。また、閾値は、第２区間８２がカラーが多い領域とカラーが少ない領域との何れの領域であるかを設定するための値であり、ステップＳＢ５において説明された閾値と同値であっても異値であってもよい。
【０１００】
ステップＳＢ６において、第２区間８２内のカラードットの割合が閾値より大きい場合（ＳＢ６：Ｙｅｓ）、ステップＳＢ９が実行され、閾値以下の場合（ＳＢ５：Ｎｏ）、ステップＳＢ７が実行される。
【０１０１】
ステップＳＢ７において、マイクロコンピュータ１３０は、ライン数Ｎから記録ヘッド６５のヘッド長分の第１印刷データをＭパスのデータとする。つまり、本実施形態において、記録部２４が記録用紙１９に当該データを画像記録する際、全てのノズル３０からインク滴が吐出される。次に、ライン数Ｎに記録ヘッド６５のヘッド長分のライン数を加えた値を、新たなライン数Ｎとする（ＳＢ８）。その後、ステップＳＢ１４の判定が実行される。
【０１０２】
ステップＳＢ９において、マイクロコンピュータ１３０は、Ｎラインを先頭として第１区間８１に対応する第１印刷データをＭパスのデータとする。つまり、本実施形態において、記録部２４が記録用紙１９に当該データを画像記録する際、第１区間８１に対応するノズル３０のみからインク滴が吐出される。次に、ライン数Ｎに第１区間８１に対応するライン数を加えた値を、新たなライン数Ｎとする（ＳＢ１０）。次に、マイクロコンピュータ１３０は、パス数Ｍをインクリメントする（ＳＢ１１）。そして、ステップＳＢ１０で変更されたライン数Ｎからヘッド長分の第１印刷データを、ステップＳＢ１１で変更されたパス数（Ｍパス）のデータとする（ＳＢ１２）。つまり、本実施形態において、記録部２４が記録用紙１９に当該データを画像記録する際、全てのノズル３０からインク滴が吐出される。次に、ライン数Ｎに記録ヘッド６５のヘッド長分のライン数を加えた値を、新たなライン数Ｎとする（ＳＢ１３）。その後、ステップＳＢ１４の判定が実行される。
【０１０３】
以上より、本実施形態の第１回数の算出方法では、マイクロコンピュータ１３０は、記録ヘッド６５のヘッド長に対応する第１印刷データを、第１区間８１に対応するデータと、第２区間８２に対応するデータとに分ける。そして、第１区間８１に対応するデータにカラードットが少なく、且つ第２区間８２に対応するデータにカラードットが多いという条件を具備する場合、マイクロコンピュータ１３０は、第１区間８１、及び第２区間８２以降の区間であって記録ヘッド６５のヘッド長分の区間の２回に分けて、記録処理を実行する。つまり、マイクロコンピュータ１３０は、記録ヘッド６５のヘッド長に対応する第１印刷データを、２パスに分けて記録処理を実行する。一方、上記条件を具備しない場合、マイクロコンピュータ１３０は、記録ヘッド６５のヘッド長に対応する第１印刷データを２パスに分けることなく、記録処理を実行する。なお、以上の説明においては省略されているが、マイクロコンピュータ１３０は、カラードットが多い区間に対して記録処理を実行する場合に片方向記録処理を実行し、カラードットが少ない区間に対して記録処理を実行する場合に双方向記録処理を実行する。
【０１０４】
なお、以上説明された算出方法は一例であり、第１回数及び第２回数は他の方法によって算出されてもよい。例えば、マイクロコンピュータ１３０は、記録ヘッド６５のヘッド長に対応する第１印刷データを複数の区間に分けなくてもよい。つまり、マイクロコンピュータ１３０は、記録ヘッド６５のヘッド長に対応する第１印刷データにカラードットが多い場合に片方向記録処理を実行し、記録ヘッド６５のヘッド長に対応する第１印刷データにカラードットが少ない場合に双方向記録処理を実行してもよい。
【０１０５】
次に、図７のフローチャートに基づいて、マイクロコンピュータ１３０による第１移動距離及び第２移動距離の算出方法の一例が説明される。第１移動距離は第１印刷データに基づいて算出され、第２移動距離は第２印刷データに基づいて算出される。第１移動距離及び第２移動距離の算出は、基となる印刷データを除いて、同様の方法で算出されてよい。よって、以下においては、第１移動距離の算出が説明され、第２移動距離の算出の説明は省略される。
【０１０６】
マイクロコンピュータ１３０は、第１移動距離を０にセットする（ＳＣ１）。第１移動距離は、図７のフローチャートにおける処理が実行される過程において増加される。そして、図７のフローチャートにおける処理が終了したときの第１移動距離の値が、ステップＳＡ６におけるマイクロコンピュータ１３０による第１移動距離の算出結果である。
【０１０７】
マイクロコンピュータ１３０は、パス数Ｍ毎にステップＳＣ２〜ＳＣ４の処理を繰り返す。そして、第１印刷データを記録用紙１９に記録させるための最終パスにおいて、ステップＳＣ２〜ＳＣ４の処理が実行されると（ＳＣ５：Ｙｅｓ）、マイクロコンピュータ１３０は、その時点における第１移動距離の値を算出結果として、一連の処理を終了する。
【０１０８】
ステップＳＣ２において、マイクロコンピュータ１３０は、キャリッジ６７の印字前移動が必要か否かを判定する（ＳＣ２）。ここで、印字前移動は、片方向記録処理において、ノズル３０からインク滴を吐出させることのないキャリッジ６７の移動である。
【０１０９】
印字前移動が必要であると判定された場合（ＳＡ２：Ｙｅｓ）、つまり当該パスにおいてノズル３０から吐出されるインクが黒以外のカラーを所定割合以上含む場合、第１移動距離に印字前移動においてキャリッジ６７が移動される距離を加えた値を、新たな第１移動距離とする（ＳＣ３）。次に、ステップＳＣ３で変更された第１移動距離に印字中移動においてキャリッジ６７が移動される距離を加えた値を、新たな第１移動距離とする（ＳＣ４）。ここで、印字中移動は、片方向記録処理及び双方向記録処理において、ノズル３０からインク滴を吐出させながらのキャリッジ６７の移動である。
【０１１０】
一方、印字前移動が不要であると判定された場合（ＳＡ２：Ｎｏ）、つまり当該パスにおいてノズル３０から吐出されるインクが黒以外のカラーを所定割合未満のみ含む場合、第１移動距離に印字中移動においてキャリッジ６７が移動される距離を加えた値を、新たな第１移動距離とする（ＳＣ４）。
【０１１１】
次に、図８のフローチャートに基づいて、マイクロコンピュータ１３０による第１時間及び第２時間の算出方法の一例が説明される。第１時間は第１印刷データに基づいて算出され、第２時間は第２印刷データに基づいて算出される。第１時間及び第２時間の算出は、基となる印刷データを除いて、同様の方法で算出されてよい。よって、以下においては、第１時間の算出が説明され、第２時間の算出の説明は省略される。
【０１１２】
マイクロコンピュータ１３０は、第１時間を０にセットする（ＳＤ１）。第１時間は、図８のフローチャートにおける処理が実行される過程において増加される。そして、図８のフローチャートにおける処理終了したときの第１時間の値が、ステップＳＡ９におけるマイクロコンピュータ１３０による第１時間の算出結果である。
【０１１３】
マイクロコンピュータ１３０は、第１給紙トレイ２０に保持された状態の記録用紙１９の搬送向き１５の先端から記録部２４による画像記録の開始位置までの長さ（つまり上述した図２に示される区間Ａ１）を当該記録用紙１９が搬送されるまでの時間（つまり上述の（Ａ１／Ｖ１）の値）を、第１時間に加え、その加算結果を新たな第１時間とする（ＳＤ２）。
【０１１４】
次に、マイクロコンピュータ１３０は、パス数Ｍ毎にステップＳＤ４の処理を繰り返す。そして、第１印刷データを記録用紙１９に記録させるための最終パスにおいて、ステップＳＤ４の処理が実行されると（ＳＣ５：Ｙｅｓ）、ステップＳＤ５が実行される。
【０１１５】
ステップＳＤ４において、マイクロコンピュータ１３０は、記録用紙１９が１パスにおいて搬送される区間ａ２（不図示）を当該記録用紙１９が搬送される時間を、第１時間に加え、その加算結果を新たな第１時間とする（ＳＤ４）。ここで、第１印刷データが記録用紙１９に記録されるために必要なパス数が「ｍ」である場合、区間ａ２は、上述した区間Ａ２を用いて、ａ２＝Ａ２／ｍによって求めることができる。
【０１１６】
ステップＳＤ５において、マイクロコンピュータ１３０は、画像記録された記録用紙１９が画像記録完了位置から排出位置まで搬送される時間（つまり上述の（Ａ３／Ｖ１）の値）を、第１時間に加え、その加算結果を新たな第１時間とする。つまり、マイクロコンピュータ１３０は、ステップＳＤ５の完了時点における第１時間の値を算出結果として、一連の処理を終了する。
【０１１７】
［実施形態の効果］
本実施形態によれば、ステップＳＡ５、ＳＡ１４〜ＳＡ１７の処理において、マイクロコンピュータ１３０は、記録用紙１９への画像記録時にキャリッジ６７が移動する回数（第１回数及び第２回数）に基づいて、記録用紙１９を給送させる給紙トレイ２０、２２を決定する。よって、例えばカラーの画像を記録するときのように、データが存在するライン数の多少の判断では、記録用紙１９への画像記録に要する時間が短い給紙トレイ２０、２２を正確に選択することができない場合であっても、記録用紙１９への画像記録に要する時間が短い給紙トレイ２０、２２を正確に選択できる可能性が高くなる。
【０１１８】
記録用紙１９への画像記録時において、キャリッジ６７が移動する距離が長い程、記録用紙１９への画像記録には多くの時間が必要となる可能性が高い。そして、本実施形態によれば、第１回数及び第２回数が同一である場合であっても、ステップＳＡ８、ＳＡ１４〜ＳＡ１７の処理において、マイクロコンピュータ１３０は、キャリッジ６７の画像記録時における移動距離の合計に基づいて、記録用紙１９を給送させる給紙トレイ２０、２２を決定する。これにより、記録用紙１９への画像記録に要する時間が短い給紙トレイ２０、２２を正確に選択できる可能性が高くなる。
【０１１９】
記録用紙１９は、搬送ローラ対５４及び排出ローラ対５５によって第１給紙トレイ２０または第２給紙トレイ２２から記録ヘッド６５の直下へ搬送され、画像記録される。そして、記録用紙１９が、第１給紙トレイ２０または第２給紙トレイ２２に収容されている時の位置から排出位置まで搬送される場合の時間が短い程、記録用紙１９への画像記録の完了までに要する時間が短くなる可能性が高い。そして、本実施形態によれば、第１回数及び第２回数が同一であり、且つ第１移動距離及び第２移動距離が同一である場合であっても、ステップＳＡ１１、ＳＡ１４〜ＳＡ１７において、マイクロコンピュータ１３０は、第１給紙トレイ２０に収容された記録用紙１９の搬送に要する第１時間、及び第２給紙トレイ２２に収容された記録用紙１９の搬送に要する第２時間に基づいて、記録用紙１９を給送させる給紙トレイ２０、２２を決定する。これにより、記録用紙１９への画像記録に要する時間が短い給紙トレイ２０、２２を正確に選択できる可能性が高くなる。
【０１２０】
記録用紙１９は、搬送ローラ対５４及び排出ローラ対５５によって第１給紙トレイ２０または第２給紙トレイ２２から記録ヘッド６５の直下へ搬送され、画像記録される。そして、給紙トレイ２０、２２から記録ヘッド６５の直下までの記録用紙１９の搬送距離が長い程、記録用紙１９への画像記録の完了までに要する時間が長くなる可能性が高い。そして、本実施形態によれば、ステップＳＡ１３〜ＳＡ１７において、マイクロコンピュータ１３０は、記録用紙１９の各給紙トレイ２０、２２から記録ヘッド６５の直下までの搬送距離に基づいて、記録用紙１９を給送させる給紙トレイ２０、２２を決定する。これにより、記録用紙１９への画像記録に要する時間が短い給紙トレイ２０、２２を正確に選択できる可能性が高くなる。
【０１２１】
［実施例の変形例１］
上述の実施形態において、ステップＳＡ１２、ＳＡ１３が実行されなくてもよい。つまり、第１時間及び第２時間が等しい場合に（ＳＡ１０：Ｙｅｓ）、ステップＳＡ１４の処理が実行されてもよい。
【０１２２】
また、上述の実施形態において、ステップＳＡ９〜ＳＡ１３が実行されなくてもよい。つまり、第１移動距離及び第２移動距離が等しい場合に（ＳＡ７：Ｙｅｓ）、ステップＳＡ１４の処理が実行されてもよい。
【０１２３】
また、上述の実施形態において、ステップＳＡ６〜ＳＡ１３が実行されなくてもよい。つまり、第１回数及び第２回数が等しい場合に（ＳＡ４：Ｙｅｓ）、ステップＳＡ１４の処理が実行されてもよい。
【０１２４】
［実施例の変形例２］
図１０に示されるように、ステップＳＡ３〜ＳＡ５と、ステップＳＡ６〜ＳＡ８の順序が逆であってもよい。この場合、ステップＳＡ８、ＳＡ１４〜ＳＡ１７の処理が、本発明の第４トレイ選択手段に相当する。また、ステップＳＡ５、ＳＡ１４〜ＳＡ１７の処理が、本発明の第５トレイ選択手段に相当する。また、ステップＳＡ１１、ＳＡ１４〜ＳＡ１７の処理が、本発明の第６トレイ選択手段に相当する。
【０１２５】
変形例２においても、上述の実施形態と同様に、記録用紙１９への画像記録に要する時間が短い給紙トレイ２０、２２を正確に選択できる可能性が高くなる。
【０１２６】
［実施例の変形例３］
変形例２において、ステップＳＡ１２、ＳＡ１３が実行されなくてもよい。つまり、第１時間及び第２時間が等しい場合に（ＳＡ１０：Ｙｅｓ）、ステップＳＡ１４の処理が実行されてもよい。
【０１２７】
また、変形例２において、ステップＳＡ９〜ＳＡ１３が実行されなくてもよい。つまり、第１回数及び第２回数が等しい場合に（ＳＡ４：Ｙｅｓ）、ステップＳＡ１４の処理が実行されてもよい。
【０１２８】
また、変形例２において、ステップＳＡ３〜ＳＡ５、及びＳＡ９〜ＳＡ１３が実行されなくてもよい。つまり、第１移動距離及び第２移動距離が等しい場合に（ＳＡ７：Ｙｅｓ）、ステップＳＡ１４の処理が実行されてもよい。
【符号の説明】
【０１２９】
１・・・複合機
１５・・・搬送向き
１７・・・第１給送部
１８・・・第２給送部
１９・・・記録用紙
２０・・・第１給紙トレイ
２２・・・第２給紙トレイ
２３・・・搬送路
５４・・・搬送ローラ対
５５・・・排出ローラ対
６５・・・記録ヘッド
６７・・・キャリッジ
１３０・・・マイクロコンピュータ
【図１】
0005703916.tif 000002
【図２】
0005703916.tif 000003
【図３】
0005703916.tif 000004
【図４】
0005703916.tif 000005
【図５】
0005703916.tif 000006
【図６】
0005703916.tif 000007
【図７】
0005703916.tif 000008
【図８】
0005703916.tif 000009
【図９】
0005703916.tif 000010
【図１０】
0005703916.tif 000011